(57)【要約】本発明の実施形態は購読者嗜好メディアを提供するシステム（１０、７５）及び方法を含む。メディアコンテンツのカテゴリの購読を創出するために、ユーザは電子デバイス（１０）で種々のジャンルを代表する（歌のサンプル等の）メディアサンプルの一部を受信してもよい。ユーザはメディアサンプルの一部をサンプル時間再生してもよい。サンプル時間が基準時間を超過する各メディアサンプルの一部に対して、システムはそのようなメディアサンプルの一部のジャンルに対するユーザの嗜好を設定してもよい。購読の一部として、ユーザは次に嗜好されたメディアサンプルの一部のジャンルと同じジャンルの範囲内のメディアファイルの提供を受信してもよい。包括的購読サービスは音楽、映画、ビデオ、又はその他のもの等の多様なメディアカテゴリの購読を含んでもよい。【選択図】  図４
2010533330.tif 000002
【特許請求の範囲】
【請求項１】
メディア購読サーバ（７５）と協動して電子デバイス（１０）のユーザに対してユーザの嗜好を確立するシステム（１０、７５）であって、
複数のメディアサンプルの一部を受信するように構成される電子デバイス内のメディアプレーヤ（６３）と、
各メディアサンプルの一部に対してユーザが各メディアサンプルの一部を再生する時間に対応するサンプル時間を計算するタイマ（６０、８０）と、
各サンプル時間が基準時間を超過するかどうかを計算するように構成されるコントローラ（４１、７９）と、を備え、
前記コントローラは前記サンプル時間が前記基準時間を超過する各メディアサンプルの一部のジャンルに対してユーザの嗜好を設定することを特徴とするシステム。
【請求項２】
前記タイマ（６０）及びコントローラ（４１）が前記電子デバイス（１０）内にあることを特徴とする請求項１に記載のシステム（１０、７５）。
【請求項３】
前記タイマ（８０）及びコントローラ（７９）が前記メディア購読サーバ（７５）内にあることを特徴とする請求項１に記載のシステム（１０、７５）。
【請求項４】
前記メディア購読サーバ（７５）が前記ユーザの嗜好の前記ジャンルの範囲内で前記ユーザにメディアファイルを提供することを特徴とする請求項１乃至３の何れか１項に記載のシステム（１０、７５）。
【請求項５】
前記電子デバイス（１０）は入力デバイス（１８）を含み、
前記コントローラ（４１、７９）はメディアサンプルの一部が嗜好サンプルであるかどうかを示す前記入力デバイスからの入力を受信するようにさらに構成され、
さらに前記コントローラは前記入力デバイスにより嗜好されたものとして示された各メディアサンプルの一部の前記ジャンルに対してユーザの嗜好を設定するように構成されることを特徴とする請求項１乃至３の何れか１項に記載のシステム（１０、７５）。
【請求項６】
電子デバイス（１０）のユーザに対して購読者嗜好メディアの購読を確立する方法であって、
前記電子デバイスで複数のメディアサンプルの一部を受信する工程と、
各メディアサンプルの一部をサンプル時間再生する工程と、
各サンプル時間と基準時間を比較する工程と、
前記サンプル時間が前記基準時間を超過する各メディアサンプルの一部のジャンルに対してユーザの嗜好を設定する工程と、
を備えることを特徴とする方法。
【請求項７】
購読者嗜好メディアの購読を確立する方法であって、
前記サンプル時間が前記基準時間と等しい各メディアサンプルの一部に対して前記サンプルが嗜好されたかどうかに応じてプロンプトを受信する工程と、
前記サンプルが嗜好されたかどうかに応じて前記プロンプトに肯定的又は否定的応答を入力する工程と、
肯定的応答が入力された各メディアサンプルの一部のジャンルに対してユーザの嗜好を設定する工程と、
をさらに備えることを特徴とする請求項６に記載の方法。
【請求項８】
購読者嗜好メディアの購読を確立する方法であって、
前記基準時間は基準範囲であり、
前記サンプル時間が前記基準範囲内であれば前記サンプル時間は前記基準時間と等しいことを特徴とする請求項６又は７に記載の方法。
【請求項９】
購読者嗜好メディアの購読を確立する方法であって、
前記ユーザの嗜好の範囲内でメディアファイルの提供を受信する工程をさらに備えることを特徴とする請求項６乃至８の何れか１項に記載の方法。
【請求項１０】
請求項６乃至９の何れか１項に記載の方法に従って確立された複数の購読を備える購読者嗜好メディアの包括的購読サービス。
【発明の詳細な説明】
【技術分野】
【０００１】
本発明の技術は一般に、音楽、ビデオ等のメディアの購読サービス、及び特に購読者に嗜好メディアを提供するシステム及び方法に関する。
【背景技術】
【０００２】
携帯電子デバイスが、音楽、ビデオ、ニュース及び情報等のメディアコンテンツにアクセスするのにますます使用されている。専用の携帯型メディアプレーヤに加えて、携帯電話、携帯情報端末（ＰＤＡ）、及び同等の物等の他の携帯型電子デバイスは、しばしばメディアプレーヤ機能を有する。ラップトップ型及び他の携帯型コンピュータシステムも同様にメディアプレーヤ機能にますます使用されている。
【０００３】
そのようなデバイスのユーザの全てが等しく精通しているわけではない。あるユーザにとっては、携帯型電子デバイスを伴うメディア経験は、ノウハウ、技術、又は時間の欠如によって制限されるかもしれない。
【０００４】
一般的に、ユーザはインターネット又は他の通信ネットワークを介してサービスプロバイダからメディアコンテンツを取得する。サービスプロバイダはユーザが項目を選択するコンテンツのカタログを提供してもよい。例えば、ユーザが音楽を望む場合、曲名、ＣＤ、又はアーティストにより音楽カタログを検索し、所望のコンテンツを見つけてもよい。あるいは、ジャンルカテゴリ又は他の検索基準によりカタログを閲覧してもよい。一度所望の歌が見つかれば、その歌が再生され、その歌を楽しんだ後、ユーザはその歌を携帯型電子デバイスにダウンロードしてもよい。場合によっては、ユーザは音楽のダウンロードにつき固定価格を支払ってもよく、又はサービスへの無制限のアクセスに対する月額等の購読料を支払ってもよく、又は他の支払いの仕組みが採用されてもよい。
【０００５】
同様のシステムは、ユーザが映画、テレビ番組、及び同等の物等のビデオコンテンツを取得するのを許可してもよい。さらに、多くのニュース及び情報組織は今やコンテンツの購読を提供し、生放送又は録画放送のストリーミングビデオだけでなくダウンロード可能なコンテンツも提供してもよい。
【０００６】
これらの一般的なサービスは、ユーザが特定のコンテンツを選択し、取得されることを要求する。各項目を選択する必要性が一部の人により嗜好されるかもしれないが、そのようなシステムはより一次的なユーザには適当ではないかもしれない。一時的なユーザ又は洗練されていないユーザにとって、個別に各メディア項目を選択する必要性は、過度に時間を消費し、不便であり、及び電子デバイス及びネットワークに特に精通していない人に欲求不満さえ起こさせるかもしれない。メディアコンテンツの楽しみはそれ故そうしたユーザには制限される。
【発明の概要】
【０００７】
携帯型電子デバイスの消費者の経験を改良するためには、メディアコンテンツを携帯型電子デバイスに供給する改良されたサービスの技術的必要性がある。特に、個別に各メディア項目を選択する必要性を取り除き、さらにユーザの嗜好及び好みに必要なものを提供するコンテンツサービスの技術的必要性がある。
【０００８】
本発明の実施形態は、購読者に嗜好メディアを提供するシステム及び方法を含む。音楽購読等の、メディアコンテンツのカテゴリの購読を創出するために、ユーザは電子デバイスで、種々のジャンルを代表する（歌の一部等の）メディアサンプルの一部を受信してもよい。個別のメディアサンプルの一部の時間を超過しないサンプル時間の間メディアサンプルの一部を再生し及び聴いてもよい。サンプル時間が基準時間を超過する各メディアサンプルの一部に対して、システムはそのようなメディアサンプルの一部のジャンルに対してユーザの嗜好を設定してもよい。購読の一部として、ユーザはその後対応する嗜好メディアサンプルの一部と同じジャンルの範囲内で（歌の提供等の）メディアファイルの提供を受信してもよい。包括的購読サービスは、音楽、映画、又は他のビデオ、ニュース及び情報等の様々なメディアカテゴリの購読を含んでもよい。
【０００９】
従って、発明の一側面は、多数のメディアサンプルの一部を受信するように構成された前記電子デバイス内のメディアプレーヤと、前記ユーザが各メディアサンプルの一部を再生する時間に対応する、各メディアサンプルの一部に対するサンプル時間を計算するタイマと、各サンプル時間が基準時間を超過するかどうかを計算するように構成されたコントローラと、を備え、前記コントローラは、前記サンプル時間が前記基準時間を超過する各メディアサンプルの一部のジャンルに対するユーザの嗜好を設定することを特徴とするメディア購読サーバと連動する電子デバイスのユーザに対するユーザの嗜好を確立するシステムである。
【００１０】
前記システムの一実施形態において、前記タイマは前記電子デバイス内にある。
【００１１】
前記システムの一実施形態において、前記タイマは前記メディア購読サーバ内にある。  前記システムの一実施形態において、前記コントローラは前記電子デバイス内にある。  前記システムの一実施形態において、前記コントローラは前記メディア購読サーバ内にある。
【００１２】
前記システムの一実施形態において、前記メディア購読サーバは、前記ユーザ嗜好のジャンルの範囲内でメディアファイルを前記ユーザに提供する。
【００１３】
前記システムの一実施形態において、前記メディアファイルの提供はオーディオファイルである。
【００１４】
前記システムの一実施形態において、前記オーディオファイルはストリーミングオーディオファイルである。
【００１５】
前記システムの一実施形態において、前記メディアファイルの提供はビデオファイルである。
【００１６】
前記システムの一実施形態において、前記ビデオファイルはストリーミングビデオファイルである。
【００１７】
前記システムの一実施形態において、前記電子デバイスは携帯電話である。
【００１８】
前記システムの一実施形態において、前記電子デバイスは入力デバイスを有し、前記コントローラは  メディアサンプルの一部が嗜好サンプルかどうかを示す前記入力デバイスからの入力を受信するようにさらに構成され、及びさらに前記コントローラは嗜好として示された各メディアサンプルの一部のジャンルに対するユーザの嗜好を前記入力デバイスに設定するように構成される。
【００１９】
前記システムの一実施形態において、前記メディアサンプルの一部は多数のジャンルから成る。
【００２０】
本発明の別の側面において、電子デバイスのユーザに対して購読者嗜好のメディアの購読を確立する方法は、多数のメディアサンプルの一部を前記電子デバイス内に受信する工程と、各メディアサンプルの一部をサンプル時間の間再生する工程と、各サンプル時間と基準時間とを比較する工程と、前記サンプル時間が前記基準時間を超過する各メディアサンプルの一部のジャンルに対するユーザの嗜好を設定する工程とを備える。
【００２１】
購読者嗜好のメディアの購読を確立する前記方法の一実施形態において、前記方法は、前記サンプル時間が前記基準時間と等しい各メディアサンプルの一部に対して、前記サンプルが嗜好されたかどうかに応じてプロンプトを受信する工程と、前記サンプルが嗜好されたかどうかに応じたプロンプトへの肯定的又は否定的応答を入力する工程と、肯定的応答が入力された各メディアサンプルの一部のジャンルに対してユーザの嗜好を設定する工程と、さらに備える。
【００２２】
購読者嗜好メディアの購読を確立する前記方法の一実施形態において、前記基準時間は基準範囲であり、及び前記サンプル時間が前記基準範囲内であるならば前記サンプル時間は前記基準時間と等しい。
【００２３】
購読者嗜好メディアの購読を確立する前記方法の一実施形態において、前記方法は、前記ユーザ嗜好の前記ジャンルの範囲内でメディアファイルの提供を受信する工程をさらに備える。
【００２４】
購読者嗜好メディアの購読を確立する前記方法の一実施形態において、前記メディアファイルの提供はダウンロード可能なメディアファイルである。
【００２５】
購読者嗜好メディアの購読を確立する前記方法の一実施形態において、前記メディアファイルの提供はストリーミングメディアファイルである。
【００２６】
本発明の別の側面は、購読者嗜好メディアの購読を確立する前記方法に従って確立された多数の購読を備える購読者嗜好メディアの包括的購読サービスである。
【００２７】
以下の説明及び添付の図面を参照することにより、本発明のこれらの特徴及び更なる特徴が明らかとなるだろう。説明及び図面において、本発明の原理が使用されうるいくつかの方法の例として特定の実施形態が詳細に開示されているが、本発明の範囲はそれに限定されないことが理解される。逆に、本発明は、添付の請求の範囲の精神及び文言の範囲内での全ての変更、変形及び均等物を含む。
【００２８】
一実施形態に対して説明及び／又は図示された特徴は、１つ以上の他の実施形態において、並びに／或いは他の実施形態の特徴と組み合わされて又はその代わりに、同一の方法又は同様の方法で使用されてもよい。
【００２９】
本明細書で使用される場合の「備える」という用語は、記載される特徴、整数、ステップ（工程）、又は構成要素の存在を特定するために用いられるが、１つ以上の他の特徴、整数、ステップ（工程）、構成要素、又はそれらの集合の存在又は追加を除外しないことが強調されるべきである。
【図面の簡単な説明】
【００３０】
【図１】図１は本発明の実施形態に合致する使用のための例示的な電子デバイスとして開放位置における折り畳み型携帯電話の前面概略図である。
【図２】図２は図１の携帯電話の操作位置の概略ブロック図である。
【図３Ａ】図３Ａは図１の携帯電話が動作する通信システムの概略図である。
【図３Ｂ】図３Ｂは図３Ａに示されるメディア購読サーバの操作位置の概略ブロック図である。
【図４】図４は本発明が実行されうる例示的な方法の実施形態を描写するフローチャートである。
【図５】図５は本発明が実行されうる代替の例示的な方法の実施形態を描写するフローチャートである。
【発明を実施するための形態】
【００３１】
次に、図面を参照して実施形態を説明するが、同一の参照番号は同一の要素を示すために使用される。図面は必ずしも縮尺通りでないことが理解されるだろう。
【００３２】
以下の説明は携帯電話との関連でなされる。本発明は携帯電話関連に限定されることは意図されておらず及びあらゆる種類の適当な電子装置、例えばメディアプレーヤ、ゲームデバイス、又はコンピュータに関してもよいことが理解されるだろう。ここでは説明のために、交換可能な用語「電子装置」及び「電子デバイス」は携帯無線通信装置も含んでもよい。「携帯無線通信装置」という用語は、以下「携帯無線端末」という場合もあり、携帯電話、ポケベル、発信機、電子手帳、携帯情報端末（ＰＤＡ）ラップトップ型又は他の携帯型コンピュータ、スマートフォン、及び任意の携帯通信装置又は同様のもの等の全ての装置を含む。
【００３３】
購読者嗜好メディアを提供するシステムは以下のように要約されうる。最初に携帯電話を起動する際に、ユーザはメディア購読アプリケーションを使用及びセットアップするかどうかに関して促されてもよい。ユーザはまずアプリケーションの簡単な説明を受信してもよい。ユーザは音楽又は歌のイントロ等の多数のメディアのイントロを聴くことを尋ねられてもよい。そのようなイントロはここでは広くメディアサンプルの一部と称されるだろう。例として、音楽購読では、それらのイントロは、異なるジャンル、拍／分、ムード等を表現する、異なる時期の音楽を含んでもよい。ユーザが音楽のイントロを聴く時間の長さはユーザがどの程度この種類の音楽を望むかを示す。例えば、ユーザがダンスバンド・ミュージック及びカントリー・ウエスタンのイントロを１秒より短い後にスキップすることを選択した場合、これらのジャンルの音楽に対するユーザの個人的嗜好は「無し」と設定されるだろう。一方、ユーザがパンクロックのテーマのイントロ全体及びヘンデルのオラトリオ（Handel’s Messiah）のイントロを３０秒間聴くことを選択した場合、この聴く時間はユーザがこれらの種類の音楽を強く望むことを示す。これらのジャンルの音楽に対するユーザの個人的嗜好は「有り」と設定されるだろう。ところで、ユーザがスウェーデンのダンスチャートミュージックを７秒間聴く場合、これはユーザがこの種類の音楽を望むが、ほんのわずかに望むことを示してもよい。様々なジャンルからの多数のユーザのサンプルの後、ユーザは、嗜好が「有り」と指定されたジャンルの音楽の購読を受け入れるかどうかを尋ねられてもよく、購読はユーザ嗜好の音楽ジャンルの範囲内で様々なダウンロード又はストリーミング音楽の提供を含んでもよい。ユーザは所与の時間の間個人的な「ムード」を設定することが出来てもよく、その結果購読は嗜好ジャンルの範囲内でその時最も所望の音楽を提供することにより応答する。
【００３４】
最初に図１を参照すると、携帯電話１０は開放位置と閉鎖位置の間で移動可能な画面を開くカバー１５を有する折り畳み型電話でもよい。携帯電話１０は、例えば、「れんが」構造又は「ブロック」構造等の他の構造を有してもよいことが理解されるだろう。図１では、カバーは開放位置で示される。
【００３５】
図２は携帯電話１０の機能ブロック図を表す。携帯電話１０は本発明の特徴を実行するメディア購読アプリケーションプログラム４３を含む。アプリケーション４３は携帯電話１０に常駐の及び携帯電話１０により実行される実行コードとして具体化されてもよい。携帯電話１０はコンピュータ又は機械読み取り可能媒体に格納されたプログラムを実行するコントローラ又はプロセッサを含んでもよい。プログラムは独立型のソフトウェアアプリケーションであってもよく、携帯電話１０に関する追加タスクを実行するソフトウェアアプリケーションの一部を形成してもよい。
【００３６】
携帯電話１０はメディアプレーヤ６３も含んでもよい。メディアプレーヤ６３は写真又は他の静止画、音楽、音声、又は他の録音、映画、又は他のビデオ、携帯テレビコンテンツ、ニュース及び情報供給、ストリーミングオーディオ及びビデオ、及びこれらと同等のもの等の画像及び／又は音を一緒に又は個別に含みうる視聴覚コンテンツをユーザに提供するために使用されてもよい。
【００３７】
メディアプレーヤ出力のビデオの一部はディスプレイ１４に表示されてもよい。ディスプレイ１４は携帯電話１０の様々な特徴をユーザが利用することを可能にさせる、動作状態、時間、電話番号、連絡先、様々な案内メニュー等の電話機能に関する他の情報もユーザに表示してもよい。また、ディスプレイ１４はカメラアセンブリ４２の電子ビューファインダとして使用されてもよい。メディアプレーヤ出力のオーディオの一部はスピーカ５０を介して再生されてもよい。
【００３８】
図３Ａを参照すると、携帯電話１０は通信システム６８の一部として動作するように構成されてもよい。システム６８は、携帯電話１０の発呼及び着呼を管理し、データを携帯電話１０に送信し、及び任意の他のサポート機能を実行する、サーバ７２（又は複数のサーバ）を有する通信ネットワーク７０を含んでもよい。ネットワーク７０は多数の携帯電話１０及び他の種類のエンドユーザデバイスの通信動作をサポートしてもよい。理解されるように、サーバ７２はサーバの機能を実行するために使用される例示的なコンピュータシステムとして構成されてもよく、且つサーバ７２の機能及びソフトウェアを格納するメモリの機能を具体化する論理命令を含むソフトウェアを実行するように構成されたプロセッサを含んでもよい。本発明の実施形態に合致して、さらに以下で説明されるように、ユーザはネットワーク７０を介してメディアコンテンツを取得してもよい。
【００３９】
ネットワーク７０はここで説明されるような購読サービスを提供する専用のメディア購読サーバ７５を含んでもよい。図３Bはメディア購読サーバ７５の機能ブロック図を表す。サーバ７５はダウンロード可能な音楽、映画、ビデオ等のさまざまなメディアファイルを格納するメディアデータベース７６を含んでもよい。サーバ７５はメディアファイルのメディアサンプル部分をアセンブリングし、その後ユーザによりサンプリングされてもよいサンプル部分アセンブラ７７も含んでもよい。サーバ７５は生放送を含みうるメディアファイルをストリーミングするメディアストリーマ７８も含んでもよい。サーバ７５は基準時間アナライザとして動作するコントローラ７９も含んでもよい。以下でさらに説明されるように、コントローラ７９はユーザがメディアサンプルの一部を再生する時間（サンプル時間）とユーザがそのメディアのジャンルを嗜好するかどうかを決定する基準時間とを比較してもよい。
【００４０】
購読者嗜好のメディアコンテンツを取得するメディア購読アプリケーション４３を有する携帯電話１０を使用する例示的な方法が以下に説明される。例示的な方法は機能論理ステップを実行する特定の順序で説明されているが、ステップを実行する順序は説明される順序に比して変更されてもよい。また、続いて説明される２以上のステップは同時に又は部分的に同時に実行されてもよい。全てのそのような変更は本発明の範囲内であることが理解される。
【００４１】
ユーザは携帯電話１０のディスプレイ１４に表示された従来のメニューからアプリケーション４３を選択してもよい。あるいは、ユーザはその目的専用のキーパッド１８上のボタンによりアプリケーション４３を選択してもよい。実行された場合、アプリケーション４３はネットワーク７０及びコンテンツプロバイダにより動作させられるメディア購読サーバ７５にアクセスしてもよい。
【００４２】
最初に動作させられた際に、アプリケーション４３はユーザに１以上の購読サービスをセットアップするよう促してもよい。例えば、ユーザは購読音楽サービス、映画サービス、テレビサービス、ニュース又は情報サービス等をセットアップすることを望んでもよい。例として、ユーザが以下のように創出されうる音楽サービスを選択すると仮定する。
【００４３】
本発明の例示的な使用方法が図４に描写される。ステップ１００において、アプリケーション４３はメディアファイルのサンプルの一部、この例では歌、がコンテンツプロバイダから利用可能であるかを確認してもよい。メディアファイル（歌ファイル）形式のコンテンツはメディア購読サーバ７５のメディアデータベース７６に格納されてもよい。音楽サービスが最初に創出されると、メディアサンプルの歌の一部は利用可能になるだろう。メディア購読サーバのサンプル部分アセンブラ７７は歌のサンプル部分等のメディアサンプルの一部をアセンブリングしてもよい。メディアプレーヤ６３はメディアサンプルの一部（歌のサンプル）を受信するように構成され、且つステップ１１０において、メディアプレーヤは歌のサンプルを受信してもよい。ステップ１２０において、メディアプレーヤ６３はユーザに歌のサンプルを再生してもよい。
【００４４】
ステップ１３０において、携帯電話１０内のタイマ６０は、ここではサンプル時間と称される、ユーザがサンプルを聴く時間の長さを計算してもよい。あるいは、タイマ８０がサンプル時間を計算するメディア購読サーバ７５のコントローラ７９内に含まれてもよい。ステップ１４０において、サンプル時間はその後基準時間と比較されてもよい。計時機能と同様に、比較は制御回路４１及び／又は処理デバイス４２により携帯電話１０内で実行されてもよい。あるいは、比較はメディア購読サーバ７５のコントローラ７９によりネットワーク上で実行されてもよい。基準時間はユーザがサンプルを楽しんでいるかどうかを示すことが意図される時間である。恐らく、サンプルが気に入られなければ、ユーザはリスニング・セッションを短時間で終わらせるだろう、一方、サンプルが楽しめるなら、ユーザはより長時間聴くだろう。
【００４５】
例えば、基準時間が７秒に設定されると仮定しよう。歌のサンプルが楽しめるなら、ユーザは歌のサンプルを歌のサンプルが嗜好されることを示す７秒より長く聴くかもしれない。一実施形態において、ユーザは基準時間に気づかなくてもよい。購読サービスは従ってユーザに気づかれずに動作してもよい。別の実施形態において、ユーザは基準時間及びサンプル時間を説明する命令を受信してもよく、その結果ユーザは所望の歌のサンプルをより長く聴いていることを知る。ユーザがサンプルを楽しめないなら、そのサンプルの再生を停止し、その歌のサンプルが嗜好されないことを示す。
【００４６】
再び図４を参照すると、ステップ１５０において、ユーザが７秒（基準時間）よりも長く歌のサンプルを聴いていないなら、そのサンプルは嗜好されないと見なされる。方法は最初に戻りさらに歌のサンプルを確認する。ステップ１５０において、サンプル時間が基準時間を超過すると決定されるなら、そのサンプルは嗜好されたと見なされる。ステップ１６０において、ユーザのコンテンツ嗜好はその嗜好サンプルのジャンルを含むように設定される。方法は最初に戻りさらに歌のサンプルを確認する。音楽購読の一部として、ユーザは嗜好サンプルのジャンルと同等のメディアファイル（歌）の提供を受信してもよい。サンプルが嗜好されてもされなくても、方法がステップ１００に戻る場合、サンプルがこれ以上利用可能又は所望されないなら、方法は終了する。
【００４７】
例示的な実施形態において、多様な音楽ジャンルから歌のサンプルを聴いてもよい。本発明は実質的にユーザに気づかれることなく動作し、サービスが多様なジャンルを表す嗜好サンプルのポートフォリオを形成する「学習モード」で購読サービスを構築する、ユーザは参加するように促されてもよく、単に聴いているサンプルを楽しむように又は次のサンプルに移動するように言われてもよい。例えば、ユーザはロック、カントリー、クラシック、ニューエイジ等の歌のサンプルを提示され及び順に聴いてもよい。各歌のサンプルと共に、対応するジャンルをユーザが基準時間より長い時間（サンプル時間）サンプルを聴いた場合に嗜好されたものとして指定する購読サービスによりユーザの嗜好が設定されてもよい。一実施形態において、ユーザは各ジャンルの範囲内で多数の歌のサンプルを送信されてもよく、且つリスニングサンプル時間は平均化されてもよく又はそうでなければ購読者の嗜好を識別するように重みを持たされてもよい。
【００４８】
一実施形態において、サンプル時間の長さは嗜好の等級に分類されてもよい。例えば、ユーザがロックのサンプルをわずか８秒間聴いたなら、ユーザの嗜好はロックのジャンルに対して「やや嗜好された」と設定されてもよい。一方、ユーザがクラシックを３０秒間聴いなら、ユーザの嗜好はクラシックのジャンルに対して「強く嗜好された」と設定されてもよい。音楽購読の一部として、ユーザはクラシック（強く嗜好されたジャンル）の提供よりもロック（やや嗜好されたジャンル）の提供を少なく受信してもよい。本実施形態は２つの嗜好の等級で説明されたが、追加の嗜好の等級が採用されてもよい。
【００４９】
ユーザが所望の数又は所定の数の歌のサンプルを聴いた後、ユーザは嗜好音楽の購読を創出してもよい。購読は多様な形式をとってもよい。例えば、ユーザは対応する嗜好サンプルのジャンルと同じジャンルの範囲内で音楽のダウンロードの定期的な提供を受信してもよい。例えば、ユーザがロック音楽のサンプルを基準時間よりも長い時間聴いた場合、ユーザはロックジャンルの範囲内で音楽の提供を受信してもよい。ユーザがカントリー音楽のサンプルを基準時間よりも長い時間聴いた場合、ユーザはカントリージャンルの範囲内で音楽の提供を受信してもよい、等である。ダウンロードの提供はネットワーク７０上のメディア購読サーバ７５のメディアデータベース７６からもたらしてもよい。ユーザは特定のダウンロードを受け入れても又は拒否してもよく、受け入れたものだけ支払ってもよい。一実施形態において、ダウンロード可能な音楽の提供はリングトーンを含んでもよい。
【００５０】
一実施形態において、ユーザは所与の時間の間最も嗜好のジャンルを識別する「ムード」を設定してもよい。その実施形態において、ダウンロードの提供は選択されたムードに集中されてもよい。例えば、ユーザは「パーティ」ムードを選択してもよく、サービスはパーティムードが設定された時間の間主にロック又はダンスタイプの嗜好ジャンルのダウンロードを提供するだろう。あるいは、例えば、ユーザは「リラックス」ムードを選択してもよく、サービスはリラックスムードが設定された時間の間主にクラシック又は現代タイプの嗜好ジャンルのダウンロードを提供してもよい。他のムードの選択肢も採用されてもよい。
【００５１】
あるいは、メディアプレーヤはパーソナル無線として動作してもよく、嗜好サンプルの各ジャンルは効果的で明確な端末である。例えば、ユーザが基準時間よりも長い時間ロック、カントリー、及びクラシックの歌のサンプルを聴いたなら、購読はロック、カントリー、及びクラシック音楽をそれぞれ端末に含めてもよい。メディアプレーヤがアクセスされる場合、選択されたジャンルの端末のオーディオコンテンツは  ネットワーク７０上のメディア購読サーバ７５のメディアストリーマ７８から流されてもよい。ユーザは端末を切り替えてもよく、ストリーミングオーディオは相応に変更してもよい。パーソナル無線に対して、ユーザは（月又は週等の）設定された期間につき又は使用時間につき購読料を支払ってもよい。本発明の範囲を逸脱することなく他の購読期間又はパラメータが創出されてもよい。
【００５２】
購読は編集され及びアップデートされてもよい。例えば、新しい音楽又は音楽のジャンルが探索された場合ユーザは追加の歌のサンプルを定期的に確認してもよい。図４の方法はそれ故繰り返されてもよく、ステップ１００において、アプリケーション４３はユーザにより以前にアクセスされていない追加の歌のサンプルを確認してもよい。新しい歌のサンプルが提供される場合、ユーザは１つ以上の新しいサンプルを聴いてもよい。図４の方法の残りに従って、新しい音楽ジャンルが購読に追加されてもよい。購読サービスは以前に確立された嗜好ジャンルを考慮してもよく、又は嗜好を再設定してユーザ（又は新ユーザ）が最初から購読サービスを構築するのを許可してもよい。
【００５３】
本発明のこの実施形態は、ユーザが各個別の歌を選択するという潜在的に面倒な仕事に消費する時間に従事する必要がない点で先行技術の音楽サービスを超える効果を有する。さらに、初期のセットアップの後、対応する嗜好サンプルのジャンルの範囲内でユーザは自動ダウンロード提供により又はパーソナル無線形式でのストリーミングビデオとして音楽コンテンツの提供を自動的に提供されてもよい。
【００５４】
音楽サービスが例示的な実施形態として説明されたが、他の形式のメディアコンテンツに対して同等の購読サービスが確立されてもよい。例えば、例示的な実施形態は映画購読サービスを含んでもよい。本実施形態に従って、図４のステップ１００において、アプリケーション４３は映画サンプルを確認するだろう。ステップ１１０において、メディアプレーヤ６３はメディアデータベース７６から映画サンプルを受信してもよく、且つメディアプレーヤはステップ１２０において映画サンプルを再生してもよい。ステップ１３０において、サンプル時間はユーザが映画サンプルを観る時間として決定されてもよい。ステップ１４０において、サンプル時間は基準時間と比較されてもよい。ステップ１５０において、決定はサンプル時間が基準時間を超過するかどうかに関してなされてもよい。さらに、サンプル時間は電子デバイス内の又はネットワーク７０上のメディア購読サーバ７５内のタイマ及びコントローラによって計測及び比較されてもよい。サンプル時間が基準時間を超過しないなら方法は戻って追加の映画サンプルを確認してもよい。音楽と同様に、ユーザはドラマ、コメディ、ホラー、アクション等の多様なジャンルの範囲内で映画をサンプリングしてもよい。ステップ１５０において、サンプル時間が基準時間を超過すると決定されたなら、所与の映画サンプルはステップ１６０において嗜好されたものと見なされ、且つ嗜好サンプルに対応するジャンルに対してユーザの嗜好が設定される。音楽の嗜好を設定する上述の様々な実施形態は映画の嗜好の設定と併せて使用されてもよい。ユーザは次に嗜好サンプルの映画と同じジャンルの範囲内で映画コンテンツの提供を受信してもよい。例えば、ユーザは映画購読の一部として映画ダウンロード又はストリーミング映画ビデオを提供されてもよい。さらに、音楽と同様に、ユーザは個別の映画ファイルを選択する必要がないが、逆に嗜好サンプルのジャンルの範囲内で映画コンテンツを自動的に提供されてもよい。テレビ番組及び同等のもの等の他の形式のビデオ番組コンテンツに対して同等の購読サービスが確立されてもよい。
【００５５】
別の実施形態はニュース又は情報購読サービスを含んでもよい。本実施形態によれば、図４のステップ１００において、アプリケーション４３はニュース又は情報のサンプルを確認してもよい。ステップ１１０において、メディアプレーヤ６３はメディア購読サーバ７５からニュース又は情報のサンプルを受信してもよく、且つメディアプレーヤはステップ１２０においてサンプルを再生してもよい。ステップ１３０において、サンプル時間はユーザがニュース又は情報のサンプルを観る時間として決定されてもよい。ステップ１４０において、サンプル時間は基準時間と比較されてもよい。
【００５６】
ステップ１５０において、決定はサンプル時間が基準時間を超過するかどうかに応じてなされてもよい。さらに、サンプル時間は電子デバイス内の、又はネットワーク７０上のメディア購読サーバ７５内のタイマ及びコントローラによって計測され及び比較されてもよい。サンプル時間が基準時間を超過しないなら、方法は最初に戻って追加のニュース又は情報のサンプルを確認してもよい。音楽及び映画と同様に、ユーザは国際、国内、金融、スポーツ、エンターテイメント等の多様なジャンルからニュース及び情報をサンプリングしてもよい。音楽及び映画の嗜好を設定する上述の様々な実施形態はニュース及び情報の嗜好を設定するのと併せて使用されてもよい。ステップ１５０においてサンプル時間が基準時間を超過すると決定されるなら、所与のニュース又は情報のサンプルはステップ１６０においてユーザの嗜好の範囲内で嗜好されたと見なされる。次にユーザは嗜好サンプルのジャンルと同じジャンルの範囲内でニュース又は情報のコンテンツを受信してもよい。例えば、ユーザは購読の一部としてメディアデータベース７６から特定のニュース記事のダウンロード、又はメディアストリーマ７８から記録されたニュース記事のストリーミングビデオを提供されてもよい。またストリーミングビデオは生のニュースの供給又は放送であってもよい。
【００５７】
さらに、音楽及び映画と同様に、ユーザは個々のファイルを選択する必要はないが、むしろ嗜好サンプルのジャンルの範囲内でニュース及び情報のコンテンツを自動的に提供されてもよい。代替の一実施形態において、ニュース購読サービスは上述したパーソナル無線と同様に動作してもよい。ユーザは規定の端末を含むパーソナル情報サービスを創出してもよく、各端末はニュース又は情報の特定の嗜好ジャンルに対応する。例えば、ユーザが金融ニュースにアクセスすることを望み、且つ次にユーザが望む通りに他のニュース又は情報に切り替えるなら、ユーザはメディアプレーヤで特定の端末を選択してもよい。
【００５８】
追加のコンテンツカテゴリに対する購読サービスが本発明の範囲から逸脱することなく確立されてもよいことが理解されるだろう。さらにその上、包括的な購読サービスは１以上の購読カテゴリを含んでもよい。例えば、ユーザは音楽、映画、ニュース等の個々の購読を含む包括的な購読サービスを確立してもよい。
【００５９】
場合によっては、基準時間に等しい又は近いサンプル時間はサンプルが嗜好されたものと見なされるべきかどうかに関して決定的ではなくてもよい。従って、図５は決定的でない状況が扱われる方法の代替実施形態を描写する。既に述べたように、方法はステップ１５０へ進み、サンプル時間が基準時間を超過するかどうかに応じて決定がなされてもよい。そうであるなら、次にサンプルは嗜好されたものと見なされ、且つ嗜好はステップ１６０において登録される。方法は次に最初に戻ってさらにサンプルを確認してもよい。
【００６０】
図５の代替実施形態において、サンプル時間が基準時間を超過しないなら、次にステップ１５３においてサンプル時間が基準時間に等しいかどうかに応じて決定がなされてもよい。等しくないなら、次にサンプルは嗜好されないものと見なされ、且つ方法は最初に戻って追加のサンプルを確認してもよい。
【００６１】
ステップ１５３においてサンプル時間が基準時間に等しいと決定されるなら、次にサンプルは決定的でなく嗜好されたものと見なされる。ステップ１５４において、ユーザはサンプルが嗜好されたものと見なされるべきかどうかを示す入力サービスからプロンプトを受信してもよい。一実施形態において、ユーザはキーパッド１８を採用してプロンプトに応答してもよい。ユーザが肯定的応答を入力するなら、次に方法はステップ１６０へ進み、指定されたユーザの嗜好が登録される。方法は次に最初のステップ１００に戻ってさらにサンプルを確認してもよい。購読の一部として、ユーザは次に嗜好サンプルのジャンルと同等のジャンルの１以上のメディアファイルを受信してもよい。ユーザがステップ１５４において否定的入力を応答したら、次に方法はすぐに最初のステップ１００に戻って追加のサンプルを確認してもよい。
【００６２】
代替実施形態において、基準時間は基準範囲であってもよい。例えば、７秒という基準時間に代わって、基準は６−８秒の範囲であってもよい。この例では、サンプル時間が８秒を超過するなら、次にサンプルはステップ１６０において嗜好されたものと見なされ、且つ購読の一部としてユーザは嗜好サンプルのジャンルと同等のジャンルのメディア項目を受信してもよい。サンプル時間が６秒よりも少ないなら、次にサンプルは嗜好されないものと見なされ及び嗜好は指定されない。サンプル時間が６秒から８秒までなら、次にサンプルは基準範囲内であり及び決定的ではないものと見なされる。以前の実施形態のように、ユーザはサンプルが嗜好されたものと見なされるべきかどうかを示す入力のプロンプトを次に受信してもよい。ユーザが肯定的応答を入力するなら、次にユーザの嗜好がステップ１６０において指定される。購読の一部として、ユーザは嗜好サンプルのジャンルと同等のジャンルの１以上のメディアファイルを次に受信してもよい。ユーザが否定的入力で応答するなら、次に嗜好は指定されない。
【００６３】
基準時間又は範囲は本発明の範囲から逸脱することなく変更されてもよいことが理解されるだろう。さらに、異なるメディアカテゴリは異なる基準時間又は範囲を有してもよい。例えば、各音楽、映画、ニュースの供給、等のそれぞれに対する種々の基準時間又は範囲があってもよい。
【００６４】
では再び図２を参照して、携帯電話１０の追加的な特徴を説明しよう。簡潔のために、ここでは一般に従来からの特徴は特に詳細には説明されないだろう。本発明を伴う使用に加えて、キーパッド１８は多様なユーザ入力動作を提供してもよい。例えば、キーパッド１８は一般に電話番号、電話帳、連絡先、メモ等の英数字情報の入力を許可する英数字のキーを含む。さらに、キーパッド１８は一般に発呼又は着呼のための「コールセンド（call send）」キー、及び終了する又は電話を「切る」ための「コールエンド（call end）」キー等の特別の機能キーを含む。特別の機能キーはメニューナビゲーションを含んでもよく及びキーを選択してディスプレイ１４上に提示されたメニューを介したナビゲーションを容易にしてもよい。キーのいくつか又は全てはディスプレイと併せて使用されてもよい。またキー又はキーと同様の機能はディスプレイ１４に関連付けられたタッチスクリーンとして具体化されてもよい。カメラアセンブリ６２が採用される場合、キーパッド１８のキーはカメラの動作を制御するために使用されてもよい。例えば、キーの１つはシャッターボタン１７としての役目をしてもよい。
【００６５】
携帯電話１０は、携帯電話１０が着呼／発呼デバイス、一般に別の携帯電話又は有線電話、又は別の電子デバイスにより呼出信号及び／又は交換信号を確立するのを可能にさせる呼出回路を含む。携帯電話１０は（例えば、シンプル・メッセージ・サービスを表す「ＳＭＳ」と一部の人々によって口語的に呼ばれる）テキストメッセージ、電子メールメッセージ、（例えば、マルチメディア・メッセージ・サービスを表す「ＭＭＳ」と一部の人々によって口語的に呼ばれる）マルチメディアメッセージ、画像ファイル、ビデオファイル、オーディオファイル、リングトーン、ストリーミングオーディオ、ストリーミングビデオ、（放送を含む）データ供給等のデータを送信し、受信し、及び／又は処理するように構成されてもよい。そのようなデータの処理はメモリ４５にデータを格納する工程と、アプリケーションを実行してユーザにデータとの情報のやり取りを許可する工程と、データと関連付けられたビデオ及び／又は画像コンテンツを提示する工程と、データと関連付けられたオーディオサウンドを出力する工程等と、を含んでもよい。
【００６６】
携帯電話１０は、携帯電話１０の機能及び動作の全部の制御を実行するように構成される一次制御回路４１を含んでもよい。制御回路４１はＣＰＵ、マイクロコントローラ、又はマイクロプロセッサ等の処理デバイス４２を含んでもよい。それらの機能の間で、本発明の特徴を実現するために、制御回路４１及び／又は処理デバイス４２はメディア購読アプリケーション４３として具体化されるプログラムコードを実行しうるコントローラを備える。コンピュータプログラミング、及び特にカメラ、携帯電話又は他の電子デバイスのアプリケーションプログラミングの当業者にとって、携帯電話をアプリケーション４３に関連付けられた論理的機能を動作及び実行するようにプログラムする方法は明らかであろう。従って、特定のプログラミングコードに関する詳細は簡潔のために除外されている。また、コードは例示的な実施形態に合致する制御回路４１によって実行されてもよいが、そのようなコントローラの機能は本発明の範囲から逸脱することなく、専用のハードウェア、ファームウェア、ソフトウェア、又はそれらの組み合わせによって実行されてもよい。
【００６７】
携帯電話１０は無線回路４６と結合している無線回路アンテナ４４を含んでもよい。無線回路４６は従来のようにアンテナ４４によって信号を送受信する無線周波数送受信機を含む。携帯電話１０は無線回路４６から送受信される、又はメディアプレーヤ６３から受信されるオーディオ信号を処理する第２の信号処理回路４８をさらに含む。従来のようにユーザが携帯電話１０によって聴き及び話すことを可能にさせるスピーカ５０及びマイクロホン５２は音声処理回路４８と結合している。
【００６８】
ディスプレイ１４はビデオデータをディスプレイを駆動するために使用されるビデオ信号に変換するビデオ処理回路５４によって制御回路４１と結合していてもよい。ビデオ処理回路５４は任意の適当なバッファ、デコーダ、ビデオデータプロセッサ等を含んでもよい。ビデオデータは制御回路４１によって発生させられ、メモリ４５に格納されるビデオファイルから読み出され、無線回路４８によって受信される流入ビデオデータストリームから取得され、メディアプレーや６３によって再生され、又は任意の他の適当な方法によって取得されてもよい。
【００６９】
携帯電話１０は全地球測位システム（ＧＰＳ）受信機、ガリレオ衛星システム受信機又は同等のもの等の位置データ受信機６４を含んでもよい。携帯電話１０は付属品、他の携帯無線端末、コンピュータ、又は別のデバイスと通信を確立する赤外線送受信機及び／又は無線周波数アダプタ（例えば、ブルートゥースアダプタ）等のローカル無線インタフェース６６を含んでもよい。例えば、ヘッドセットアセンブリが対応する無線インタフェースを有する実施形態において、ローカル無線インタフェース６６は携帯電話１０とヘッドセットアセンブリ（例えば、ＰＨＦデバイス）を動作可能に結合させてもよい。
【００７０】
また携帯電話１０は多様な従来の入出力デバイスとの接続を許可する入出力インタフェース５６を含んでもよい。そのようなデバイスの１つは内部電源ユニット（ＰＳＵ）５８を充電するために使用されうる電源充電器である。
【００７１】
本発明はある好ましい実施形態に関して図示し且つ説明したが、本明細書を読み且つ理解することにより、他の当業者が均等物及び変形を考案できるであろうことが理解される。本発明は全てのそのような均等物及び変形を含み、且つ以下の特許請求の範囲内によってのみ限定される。
【図１】
2010533330.tif 000003
【図２】
2010533330.tif 000004
【図３Ａ】
2010533330.tif 000005
【図３Ｂ】
2010533330.tif 000006
【図４】
2010533330.tif 000007
【図５】
2010533330.tif 000008
【国際調査報告】
2010533330.tif 000009
2010533330.tif 000010